(57)【要約】【課題】異なるサイズの複数の割付領域に顔の画像を割付けて印刷する際に，効率良く印刷画像を形成することができる印刷装置を提供する。【解決手段】外部記憶装置に格納された人物の画像データに基づき，前記人物の顔の画像を印刷媒体上に割付けて印刷する印刷装置において，前記顔の画像を割付ける割付領域のサイズを複数取得するサイズ取得部と，前記外部記憶装置から前記画像データを取得し，前記画像データに基づき，前記取得した複数のサイズ全てに割付け可能な顔の画像を前記人物の画像から切出す共通の切出し範囲を求める切出し範囲取得部とを有し，前記共通の切出し範囲に基づき，前記サイズごとの割付領域に割付けた顔の画像を印刷する。【選択図】図３
2007196576.tif 000002
【特許請求の範囲】
【請求項１】
外部記憶装置に格納された人物の画像データに基づき，前記人物の顔の画像を印刷媒体上に割付けて印刷する印刷装置において，
前記顔の画像を割付ける割付領域のサイズを複数取得するサイズ取得部と，
前記外部記憶装置から前記画像データを取得し，前記画像データに基づき，前記取得した複数のサイズ全てに割付ける顔の画像を前記人物の画像から切出す共通の切出し範囲を求める切出し範囲取得部とを有し，
前記共通の切出し範囲に基づき，前記取得したサイズごとの割付領域に割付けた顔の画像を印刷することを特徴とする印刷装置。
【請求項２】
請求項１において，
操作入力部と，
画像表示部とを更に有し，
前記切出し範囲取得部は，前記共通の切出し範囲を求めた後に，当該切出し範囲に基づいて前記割付領域ごとに割付ける顔の画像を切出す個別の切出し範囲を更に求め，当該個別の切出し範囲を前記画像表示部に表示するとともに確認を促し，
前記操作入力部に確認入力がされた場合は，当該個別の切出し範囲の画像を当該サイズの割付領域に割付けて印刷し，確認入力がされずに前記個別の切出し範囲が変更された場合は，当該変更された切出し範囲の画像を当該サイズの割付領域に割付けて印刷することを特徴とする印刷装置。  
【請求項３】
請求項１または２において，
前記画像データは複数の人物の画像データであって，
選択された人物の画像について前記共通の切出し範囲を求めることを特徴とする印刷装置。
【請求項４】
請求項１乃至３のいずれかにおいて，
前記割付領域に割付けた顔の画像の印刷を行うときに，背景画像を除去することを特徴とする印刷装置。
【請求項５】
外部記憶装置に格納された人物の画像データに基づき，前記人物の顔の画像を印刷媒体に割付けて印刷部で印刷する印刷方法において，
前記外部記憶装置から前記画像データを取得する工程と，
前記顔の画像を割付ける割付領域のサイズを複数取得する工程と，
前記画像データに基づき，取得した前記サイズの全てに割付ける顔の画像を前記人物の画像から切出す共通の切出し範囲を求める工程と，
前記共通の切出し範囲に基づき，前記サイズごとの割付領域に割付けた顔の画像を印刷する工程とを有することを特徴とする印刷方法。
【発明の詳細な説明】
【技術分野】
【０００１】
本発明は，印刷装置及び印刷方法に関し，特に，外部記憶装置に格納された人物の画像データに基づき，前記人物の顔の画像を異なる複数のサイズで印刷する印刷装置及び印刷方法に関する。
【背景技術】
【０００２】
パスポートや運転免許証等の身分証，あるいは履歴書用の顔写真を得るために，予めデジタルカメラなどで撮像された人物の画像データに基づき，顔の部分の画像を切出して拡大・縮小し，所定のサイズで印刷する方法が提案されている。
【０００３】
例えば，特許文献１には，メモリカードなどの外部記憶装置を装着でき，外部記憶装置から読み出した人物の画像データに基づき，印刷用紙上の複数の異なるサイズの割付枠に顔の画像を割付けて印刷する印刷装置が記載されている。この印刷装置では，１枚の印刷用紙に複数のサイズが異なる顔の画像を割付けて印刷する。
【特許文献１】特開２００２−２７３９６９号公報
【発明の開示】
【発明が解決しようとする課題】
【０００４】
しかしながら，複数の異なるサイズの割付枠に顔の画像を割付けて印刷する際に，割付枠ごとに顔の配置や拡大・縮小率を求めると，印刷画像を形成するための処理効率が悪く，印刷完了までの時間がかかるという問題点がある。
【０００５】
そこで，本発明の目的は，複数の異なるサイズの割付枠に顔の画像を割付けて印刷する際に，効率良く印刷画像を形成することができる印刷装置等を提供することにある。
【課題を解決するための手段】
【０００６】
上記の目的を達成するために，本発明の第１の側面によれば，外部記憶装置に格納された人物の画像データに基づき，前記人物の顔の画像を印刷媒体上に割付けて印刷する印刷装置において，前記顔の画像を割付ける割付領域のサイズを複数取得するサイズ取得部と，前記外部記憶装置から前記画像データを取得し，前記画像データに基づき，前記取得した複数のサイズ全てに割付ける顔の画像を前記人物の画像から切出す共通の切出し範囲を求める切出し範囲取得部とを有し，前記共通の切出し範囲に基づき，前記取得したサイズごとの割付領域に割付けた顔の画像を印刷することを特徴とする。
【０００７】
上記第１の側面における印刷装置は，異なるサイズの複数の割付枠に共通の切出し範囲を求め，その共通の切出し範囲に基づき印刷サイズごとの顔の画像を形成するので，印刷サイズごとに顔の画像の切出し範囲を求める場合より効率の良い画像形成ができ，印刷完了までの時間を短縮することができる。
【０００８】
上記第１の側面における好ましい実施例によれば，前記印刷装置は操作入力部と画像表示部を更に有し，前記切出し範囲取得部は，前記共通の切出し範囲を求めた後に，当該切出し範囲に基づいて前記割付領域ごとに割付ける顔の画像を切出す個別の切出し範囲を更に求め，当該個別の切出し範囲を前記画像表示部に表示するとともに確認を促す。そして，前記操作入力部に確認入力がされた場合は，当該個別の切出し範囲の画像を当該サイズの割付領域に割付けて印刷し，確認入力がされずに前記個別の切出し範囲が変更された場合は，当該変更された切出し範囲の画像を当該サイズの割付領域に割付けて印刷することを特徴とする。よって，顔の拡大・縮小率や配置を適宜調整することができ，好適な画像を簡便な操作で得ることができる。
【０００９】
上記第１の側面における好ましい実施例によれば，前記画像データは複数の人物の画像データであって，前記印刷装置は，前記共通の切出し範囲を人物毎に求めることを特徴とする。よって，集合写真やスナップ写真などの複数人物を撮像した画像からでも，証明写真等に用いるための顔写真を得ることができ，利便性を向上させることができる。  
【発明を実施するための最良の形態】
【００１０】
以下，図面にしたがって本発明の実施の形態について説明する。但し，本発明の技術的範囲はこれらの実施の形態に限定されず，特許請求の範囲に記載された事項とその均等物まで及ぶものである。  
【００１１】
図１は，本実施の形態における印刷装置の構成図である。印刷装置１００は，制御部１０，操作入力部５０，画像表示部６０，印刷部７０，及び装着部４２により構成され，各部は内部バスＢＵＳで接続される。また，装着部４２には外部記憶装置４４が装着される。
【００１２】
本実施の形態における印刷装置１００では，制御部１０が外部記憶装置４４に格納された人物の画像データから顔の画像を切り出し，印刷部７０を駆動してその切出した画像を印刷用紙や写真用紙などの媒体上に割付けて印刷する。そして，画像を割付ける割付枠のサイズは操作入力部５０からの入力により指定され，指定されるサイズに応じた切り出し範囲を画像表示部６０に表示し，ユーザに確認・変更を促す。
【００１３】
制御部１０はＣＰＵ１２，ＲＯＭ２０，ＲＡＭ３０を有している。ＣＰＵ１２はＲＯＭ２０に格納された制御プログラムに従って，印刷装置１００を構成する各部の動作を制御する。ＲＯＭ２０には，その他に顔検知モジュール２１，レイアウトモジュール２２，印刷サイズデータ２３が格納されており，ＣＰＵ１２はこれらに従って，予め撮像された人物の画像データから顔の画像の切出しを行う。なお，人物の画像データは，外部記憶装置４４から装着部４２を介して取得する。ＲＡＭ３０は作業用のメモリであり，ＣＰＵ１２が処理中の画像データや，その画像データに基づき生成される顔の画像の印刷データを一時的に格納する。
【００１４】
外部記憶装置４４は，例えばデジタルカメラに使用されるコンパクトフラッシュカード（登録商標）等の記憶媒体であって，人物を撮像した画像データを格納している。また，装着部４２は装着された外部記憶装置４４に格納されたデータを読み出すリーダであって，読み出した画像データをＣＰＵ１２に伝送する。
【００１５】
なお，外部記憶装置４４は，パーソナルコンピュータなどの記憶装置，あるいはスキャナなどの記憶装置として構成することも可能である。かかる場合は，装着部４２に代わり，不図示の通信インターフェースを介して，ネットワークや直接ケーブルで接続されたパーソナルコンピュータなどの記憶装置から人物を撮像した画像データを取得する。
【００１６】
操作入力部５０は，印刷装置１００の表面に設けられ，印刷装置１００の各種機能を操作するためのプッシュボタンにより構成される。このプッシュボタンは，顔の切り出しを行う画像の選択，画像を割付ける割付枠のサイズの指定，及び切り出し範囲の変更の各種入力を受け付ける。プッシュボタンが押圧されると，操作入力部５０は割付枠サイズの指定などの入力信号を制御部１０に対して伝送する。
【００１７】
画像表示部６０は，印刷装置１００の表面に設けられる表示画面であって，例えば高精細の液晶パネルである。外部記憶装置４４に格納されている画像データに基づく画像，制御部１０で求められる顔の画像の切り出し範囲，または印刷画像を表示する。
【００１８】
上記の操作入力部５０と画像表示部６０とでユーザインターフェースを構成する。すなわち，ユーザは，外部記憶装置４４に格納されている画像データの画像を画像表示部６０で確認することにより，目的の画像を操作入力部５０から選択入力することができる。また，制御部１０で求められた顔の画像を切出す範囲の画像を画像表示部６０上で見ることができ，適宜に確認あるいは切り出し範囲の変更を操作入力部５０から入力することができる。なお，画像表示部６０をタッチパネルで構成し，操作入力部５０と兼用してもよい。
【００１９】
印刷部７０は，図示しない給紙機構と印刷エンジンとで構成され，制御部１０で生成された印刷データに基づき，印刷用紙などの媒体に顔の画像を印刷する。給紙機構はモータにより駆動される搬送ローラを有する公知の機構により印刷エンジンへ印刷用紙を搬送し，印刷された用紙を印刷装置１００の外部へ排出する。また印刷エンジンは，印刷用紙に対して画像を印刷する印刷ヘッドと，ヘッドを駆動する機構により構成される。印刷方式は一例としてインクジェット方式であるが，これに限定されなくてもよい。
【００２０】
図２は，制御部１０の動作手順を説明するフローチャート図である。制御部１０は，ＲＯＭ２０に格納された顔検知モジュール２１及びレイアウトモジュール２２に従い以下の手順で画像処理を行う。
【００２１】
まず，ユーザの選択入力に応答して，外部記憶装置４４に格納された画像データから，顔の画像を切出す画像データを取得する（Ｓ１０）。
【００２２】
次に，ユーザの選択入力に応答して，ＲＯＭ２０に格納された印刷サイズデータ２３から印刷レイアウトを取得する（Ｓ２０）。印刷レイアウトは，印刷ページのレイアウトを定めるテンプレートであって，１ページ内に１または複数の印刷画像の割付枠を配置したものである。
【００２３】
例えば，図３（Ａ）には４種類の異なるサイズの割付枠ＳＺ１〜４がＡ４用紙のサイズ上に配置された「４面割付」レイアウトＰＬの例が示されている。このような印刷レイアウトＰＬを用いると，Ａ４用紙上に各割付枠のサイズで顔の画像を割付けて印刷することができる。
【００２４】
各割付枠は，例えば，画面ＳＺ１はパスポート用，画面ＳＺ２は履歴書用というように異なる用途に対応しており，用途に応じた縦横のサイズ，縦横比で設けられている。このような印刷レイアウトは種々設けることができ，印刷サイズデータ２３としてＲＯＭ２０に格納される。よって，ユーザは用途に応じた印刷レイアウトを指定することにより，それに含まれる割付枠のサイズ，つまり顔の画像が印刷用紙などに印刷されるサイズを指定することができる。
【００２５】
図２に戻ると，工程Ｓ３０でユーザの印刷起動指示を受付け，この指示に応答して，選択された画像から顔を検知する（Ｓ４０）。顔の検知は，例えば肌色画素の分布に基づき顔を検知する方法等が可能である。
【００２６】
そして，印刷レイアウトの全ての割付枠に共通の割付枠の縦横サイズ，縦横比情報を取得する（Ｓ４２）。次に人物の画像データの顔の中心座標と顔の大きさを求め，全ての割付枠に共通の画像を切出す範囲を求める（Ｓ４４）。顔の中心座標と大きさは，例えば肌色の画素の分布形状から求めることができる。そして，工程Ｓ４２で特定した顔の割付位置と顔の大きさに適合するような，拡大・縮小率と画像を切出す位置を求めることにより，切出し範囲を求めることができる。
【００２７】
ここで，図３（Ｂ）を用いて，共通の割付枠と切出し範囲との関係を説明する。図３（Ｂ）は，元になる顔の画像Ｐ１に，印刷レイアウトＰＬ（図３（Ａ））の全ての割付枠ＳＺ１〜４を重ね合わせた模式図である。図中，共通の割付枠は全ての割付枠ＳＺ１〜４が重複する領域の矩形ＳＺ５である。さらに，この共通の割付枠に対応する共通の切出し枠として，全ての割付枠ＳＺ１〜４が収まる外側の矩形ＳＺ６が求められる。
【００２８】
共通の割付枠ＳＺ５内に顔が収まるように，まず顔の画像の拡大・縮小率と，顔の位置を求める。例えば，共通の割付枠ＳＺ５の縦方向の長さの一定の範囲内に顔を収めるような配置とすることができる。すると，共通の割付枠に顔を割付けた画像を共通の切出し枠ＳＺ６で切出すと，その画像は，余白部分を適宜トリミングすることによって割付枠ＳＺ１〜４のいずれにも割付が可能となる。よって，共通の切出し枠ＳＺ６で切出す画像Ｐ１の領域が，求める共通の切出し範囲である。
【００２９】
なお，この共通の割付枠ＳＺ５と共通の切出し枠ＳＺ６は，印刷レイアウトに付加される情報として，印刷サイズデータ２３に予め含めることも可能であるし，印刷レイアウト内の割付枠を所定の位置で重ね合わせるようにして算出することも可能である。
【００３０】
再び図２に戻り，上記のようにして求めた切り出し範囲をＲＡＭ３０に一時的に保存する（Ｓ４６）。そして，選択されたレイアウト内に配置された割付枠数を取得し（Ｓ５０），以下の処理を印刷レイアウトの全ての割付け枠について実行する。例えば，図３（Ａ）に示した「４面割付」印刷レイアウトＰＬの場合は，４つの割付枠について以下の処理を行う。
【００３１】
まず，人物の画像と割付枠ごとの個別の切り出し範囲を重ねて画像表示部６０に表示する（Ｓ６８）。上述したように，個別の切出し範囲は，共通の切出し範囲の余白部分を適宜トリミングすることによって得られる。そして，ユーザにより個別の切り出し範囲についての確認入力がされたら次の枠の処理に進み（Ｓ７０のＮＯ），切り出し範囲の変更入力がされたら（Ｓ７０のＹＥＳ），変更後の切り出し範囲をＲＡＭ３０に保存し（Ｓ７２），次の枠の処理に進む。なお，図３（Ｃ）には，人物の画像Ｐ１に対し印刷レイアウトＰＬの割付枠ＳＺ１〜４に対応する切出し範囲を表示してある。図示した各割付枠ＳＺ１〜４の内側の領域が各枠ごとの個別の切出し範囲であり，その範囲の画像が切出される画像に相当する。
【００３２】
上記のような処理をレイアウト内の全ての枠について終了したら（Ｓ６０のＹＥＳ），各割付枠ごとに保存した個別の切り出し範囲で顔の画像を切出す。そして，切出した画像を印刷レイアウトの割付枠に割付け，刷画像データとして例えばビットマップ形式でＲＡＭ３０に展開する（Ｓ８０）。すなわち，図３（Ａ）の印刷レイアウトＰＬの各割付枠ＳＺ１〜４に，図３（Ｃ）で示したそれぞれの切出し範囲の画像が拡大・縮小されて割付けられ，全体として１ページ分の印刷画像を構成する。
【００３３】
ここで，印刷画像データの展開に際しては，背景画像の除去を行うことも可能である。例えば，顔検知の際に顔以外の背景の色情報に基づいて背景画像を検知し，その背景画像を予め用意した無地の背景画像と置き換えることなどが可能である。
【００３４】
そして，展開された印刷画像データに基づく印刷を印刷部７０に要求し（Ｓ９０），印刷が実行される。
【００３５】
上記の手順によれば，ユーザは目的とするサイズの割付枠を有する印刷レイアウトを選択することにより，１つの画像データから異なるサイズの複数の割付枠に割付けた顔の画像の印刷物を得ることができる。その際に，制御部１０においては複数の割付枠のサイズに共通の切出し範囲を求め，その切出し範囲に基づいて割付枠ごとの個別の切出し範囲を求めるので，割付枠ごとに顔の位置と大きさを求めて切出し範囲を求める場合より効率よく印刷画像を形成できる。さらに，ユーザは必要に応じて割付枠ごとの個別の切出し範囲を変更することができる。
【００３６】
なお，ユーザによる印刷レイアウトの選択（Ｓ２０）を省略し，所定の印刷レイアウトを用いて自動的に顔の画像を割付ける手順とすることも可能である。また，画像の切出し範囲を求めた後の，切出し範囲の確認・変更工程（Ｓ６０〜Ｓ７２）を省略し，印刷レイアウトの割付枠に割付けた顔の画像を自動的に印刷する手順とすることも可能である。そうすることで，印刷ジョブ完了までの時間を短縮することができる。
【００３７】
次に図４及び図５で本実施の形態における印刷装置のユーザインターフェースについて，印刷レイアウトの選択や，切出し範囲の確認・変更を行う場合を例に説明する。
【００３８】
図４は，操作入力部５０の概観を例示する図である。操作入力部５０は，操作パネルＣＰ上に配置される各種プッシュボタンによって構成される。例えば，各種のメニュー選択を行うためにメニュー上で上下左右の移動を指示する上ボタンＵＢ，下ボタンＤＢ，左ボタンＬＢ，右ボタンＲＢ，及び確認ボタンＥＢ，ならびに印刷起動を指示する印刷ボタンＰＢなどである。ユーザは，画像表示部６０に表示される選択メニューを見ながらこれらのプッシュボタンを押圧することにより，種々の確認・選択，指示などの入力を制御部１０に対し行うことができる。
【００３９】
図５は，画像表示部６０の画面表示とその遷移を説明する図である。まず，図５（Ａ）は外部記憶装置４４に格納された複数の画像データの中から印刷対象の画像データを選択する場合の画面表示例である。図２の工程Ｓ１０に対応する画面である。ユーザが図４で示した操作パネルＣＰ上の左ボタンＬＢと右ボタンＲＢを交互に押圧することにより，外部記憶装置４４に格納されている画像データの画像を順次切り替えて表示する。そして，ユーザは所望の画像が表示された時点で確認ボタンＥＢを押圧して選択入力を行うことができる。
【００４０】
画像が確定されると図５（Ｂ）の画面表示へ進み，各種の印刷設定を行う。ここでは，用紙サイズなどとともに印刷レイアウトの選択を行い，図２の工程Ｓ２０に対応する。ユーザは図４で示した操作パネルＣＰの上ボタンＵＢと下ボタンＤＢを交互に押圧して対象のメニューを移動し，左ボタンＬＢと右ボタンＲＢを交互に押圧することで選択肢を順次切り替えるなどして，所望の設定が表示された時点で確認ボタンＥＢを押圧して選択入力を行うことができる。図５（Ｂ）では，証明写真用の「４面割付」印刷レイアウトが選択された状態を示している。なお，用紙サイズと印刷レイアウトの組合せにより，実際に印刷される顔の画像のサイズは多様なバリエーションが可能である。
【００４１】
印刷設定を確定した後，ユーザは印刷ボタンＰＢ（図４）を押圧して印刷起動を指示する（図２の工程Ｓ３０）。すると，画面表示は図５（Ｃ）に進み，画像切出し範囲を求める処理が行われている状態を示す画面を表示する。この画面は，図２の工程Ｓ４０〜Ｓ６０に対応しており，選択した印刷レイアウトの共通の割付枠に対応する切出し範囲から，個々の割付枠ごとの切出し範囲を求める処理が実行されている時に表示される。
【００４２】
次に，４つの割付枠のうち第１の割付枠について切出し範囲が求められると，画面表示は図５（Ｄ）に進み，求められた切出し範囲を元の人物の画像に重ねて表示する。図２の工程Ｓ６８に対応する。なお，ここでは，切出し範囲の画像を対応する割付枠に割付けて図５（Ａ）の元の人物の画像より拡大して表示することにより，切出し範囲の確認や変更をする際の操作性を向上させることができる。
【００４３】
ユーザは，この画面表示を見て切出し範囲を確認する場合は（図２の工程Ｓ７０のＮＯ）確認ボタンＥＢ（図４）を押圧することにより，次の割付枠へ進む。あるいは，切出し範囲を変更する場合は（図２の工程Ｓ７０のＹＥＳ），図４の上ボタンＵＢ，下ボタンＤＢ，左ボタンＬＢ，または右ボタンＲＢ等を適宜押圧しながら，切出し範囲の位置の移動や，切出し範囲の画像の拡大・縮小率の増減を行う。そして，変更を終えたら確認ボタンＥＢを押圧して，次の割付枠へ進む。
【００４４】
そして，すべての割付枠について切出し範囲の確認・変更を終了すると，画面表示は図５（Ｅ）に進む。この画面は，図２の工程Ｓ８０〜Ｓ９０に対応し，印刷レイアウトに基づいて印刷画像データがＲＡＭ３０に展開され，画像が印刷される時の処理状態を示す画面表示である。
【００４５】
なお，上記の画面遷移にともない操作するボタンの種類や操作入力手順は一例であって，他の態様も可能である。
【００４６】
次に，複数の人物が撮像された画像データから，顔の画像を切出す実施例について説明する。
【００４７】
図６は，複数の人物が撮像された画像データから特定の人物の顔の画像を切出す場合の，制御部１０の動作手順を説明するフローチャート図である。図２で示したフローチャート図の工程Ｓ４０とＳ４２の間に処理が追加されたものである。
【００４８】
まず，ユーザの選択入力に応答して，外部記憶装置４４に格納された画像データから，顔の画像を切出す画像データを選択する工程Ｓ１０，印刷レイアウト選択工程Ｓ２０，印刷起動工程Ｓ３０，及び選択画像から顔を検知する工程Ｓ４０は図２の手順と同じである。
【００４９】
次に，選択された画像から検知した顔が複数であるかを判断する（Ｓ１４４）。複数の顔が検知されていれば（Ｓ１４４のＹＥＳ），複数人物の画像を画像表示部６０に表示する（Ｓ１４６）。そして，ユーザが顔の画像を切出す人物の画像を選択し，選択入力に応答してその人物の画像を抽出する（Ｓ１４８）。人物の画像が選択された後の工程Ｓ４２〜Ｓ９０は図２と同じであるので，説明を省略する。
【００５０】
図７は，複数人物の画像から顔の画像を切出す対象となる人物の画像を選択する場合の，画像表示部６０の画面表示例を説明する図である。選択した画像データから複数の顔が検知された場合は，図７（Ａ）に示すように複数人物の画像を切出して表示する。この画面表示は図６の工程１４６に対応する。
【００５１】
この画面表示では検知された人物の顔を枠で囲んで表示しており，そのうちの１つの枠が選択対象を表す枠として，実線や，特定の色などで表示される。そして，ユーザが図４の操作パネルＣＰ上の選択ボタンＬＢ，ＲＢを押圧すると選択対象を表す枠の表示が，複数の枠の間で交互に切り替えて表示される。所望の人物の枠が選択対象として表示された時点で，ユーザが確認ボタンＥＢを押圧すると，その人物の画像が選択され，図７（Ｂ）の画面表示へ進む。
【００５２】
図７（Ｂ）の画面表示は選択された人物の画像のみを表示しており，図６の工程Ｓ１４８に対応する。このようにして特定の人物の画像が選択された後の工程Ｓ５０〜Ｓ９０に対応する画面遷移は，図５（Ｂ）〜（Ｅ）と同じである。
【００５３】
このように，複数人物が撮像された集合写真やスナップ写真の画像データからでも，証明写真等に用いるための顔写真を得ることができ，印刷装置としての利便性が向上する。
【００５４】
以上説明したとおり，本実施の形態における印刷装置によれば，異なるサイズの複数の割付枠に共通の切出し範囲を求め，その切出し範囲の画像に基づき割付枠ごとに割付ける顔の画像を形成する。よって，割付枠ごとに顔の画像の切出し範囲を求める場合より効率の良い画像形成ができ，印刷完了までの時間を短縮することができる。
【図面の簡単な説明】
【００５５】
【図１】本実施の形態における印刷装置の構成図である。
【図２】制御部１０の動作手順を説明するフローチャート図である。
【図３】共通の割付枠と切出し範囲を模式的に説明する図である。
【図４】操作入力部５０の概観を例示する図である。
【図５】画像表示部６０の画面表示とその遷移を説明する図である。
【図６】複数の人物が撮像された画像データから特定の人物の顔の画像を切出す場合の，制御部１０の動作手順を説明するフローチャート図である。
【図７】複数人物の画像から顔の画像を切出す対象となる人物の画像を選択する場合の，画像表示部６０の画面表示例を説明する図である。
【符号の説明】
【００５６】
制御部：  １０   印刷レイアウト：ＰＬ
割付枠：  ＳＺ１ 操作パネル：    ＣＰ
【図１】
2007196576.tif 000003
【図２】
2007196576.tif 000004
【図３】
2007196576.tif 000005
【図４】
2007196576.tif 000006
【図５】
2007196576.tif 000007
【図６】
2007196576.tif 000008
【図７】
2007196576.tif 000009